(57)【要約】【課題】十分な強度を確保でき、耐久性の向上を図ることができる家具を提供する。【解決手段】家具であるテーブル用脚体１は、プレカット工場において木造住宅用プレカット木材の材料と同じ材料で形成した複数の家具用プレカット木材４，５，６を備える。住宅建築現場において、大工は、固定具を用いることなく複数の家具用プレカット木材４，５，６を嵌合により組み合わせてテーブル用脚体１を形成する。【選択図】図１
0003228267.tif 000002
【実用新案登録請求の範囲】
【請求項１】
木造住宅用プレカット木材の材料と同じ材料で形成された複数の家具用プレカット木材を備える
ことを特徴とする家具。
【請求項２】
プレカット工場において木造住宅用プレカット木材の材料と同じ材料で形成された複数の家具用プレカット木材を備え、
住宅建築現場において前記家具用プレカット木材が組み合わされて構成された
ことを特徴とする家具。
【請求項３】
プレカット工場において木造住宅用プレカット木材を得るためのプレカット機械を用いて前記木造住宅用プレカット木材の材料と同じ材料で形成された複数の家具用プレカット木材を備え、
前記木造住宅用プレカット木材を用いて建築される木造住宅の住宅建築現場において前記木造住宅用プレカット木材とともにまとめて前記住宅建築現場まで運搬された前記家具用プレカット木材が大工によって組み合わされて構成された
ことを特徴とする家具。
【請求項４】
複数の家具用プレカット木材は、固定具を用いることなく互いに嵌合固定されている
ことを特徴とする請求項１ないし３のいずれか一記載の家具。
【請求項５】
複数の家具用プレカット木材は、いずれも無垢材である
ことを特徴とする請求項１ないし４のいずれか一記載の家具。
【請求項６】
複数の家具用プレカット木材は、いずれも断面矩形状をなす角柱状部材である
ことを特徴とする請求項１ないし５のいずれか一記載の家具。
【考案の詳細な説明】
【技術分野】
【０００１】
本考案は、十分な強度を確保でき、耐久性の向上を図ることができる家具に関する。
【背景技術】
【０００２】
従来、例えば特許文献１に記載された家具（組立家具）が知られている。この従来の家具は、例えば複数の面材を互いの嵌合部を嵌め合わせて互いに固定した組立椅子や組立テーブルであり、これを構成する各面材（背板、座板、脚板、天板等）は、例えばベニヤ板からなる薄板である。
【先行技術文献】
【特許文献】
【０００３】
【特許文献１】特開２００２−１７４６３号公報
【考案の概要】
【考案が解決しようとする課題】
【０００４】
しかしながら、上記従来の如く、複数枚のベニヤ板からなる薄板を組み合わせて構成した家具では、十分な強度が得られないおそれがある。
【０００５】
本考案は、このような点に鑑みなされたもので、十分な強度を確保でき、耐久性の向上を図ることができる家具を提供することを目的とする。
【課題を解決するための手段】
【０００６】
請求項１記載の家具は、木造住宅用プレカット木材の材料と同じ材料で形成された複数の家具用プレカット木材を備えるものである。
【０００７】
請求項２記載の家具は、プレカット工場において木造住宅用プレカット木材の材料と同じ材料で形成された複数の家具用プレカット木材を備え、住宅建築現場において前記家具用プレカット木材が組み合わされて構成されたものである。
【０００８】
請求項３記載の家具は、プレカット工場において木造住宅用プレカット木材を得るためのプレカット機械を用いて前記木造住宅用プレカット木材の材料と同じ材料で形成された複数の家具用プレカット木材を備え、前記木造住宅用プレカット木材を用いて建築される木造住宅の住宅建築現場において前記木造住宅用プレカット木材とともにまとめて前記住宅建築現場まで運搬された前記家具用プレカット木材が大工によって組み合わされて構成されたものである。
【０００９】
請求項４記載の家具は、請求項１ないし３のいずれか一記載の家具において、複数の家具用プレカット木材は、固定具を用いることなく互いに嵌合固定されているものである。
【００１０】
請求項５記載の家具は、請求項１ないし４のいずれか一記載の家具において、複数の家具用プレカット木材は、いずれも無垢材であるものである。
【００１１】
請求項６記載の家具は、請求項１ないし５のいずれか一記載の家具において、複数の家具用プレカット木材は、いずれも断面矩形状をなす角柱状部材であるものである。
【考案の効果】
【００１２】
本考案によれば、十分な強度を確保でき、耐久性の向上を図ることができ、しかも、木造住宅と家具との調和が図られ、統一感のある室内空間を得ることができる。
【図面の簡単な説明】
【００１３】
【図１】本考案の一実施の形態に係るテーブル用脚体（家具）を示す斜視図である。
【図２】同上テーブル用脚体の分解斜視図である。
【図３】同上テーブル用脚体の使用状態を示す斜視図である。
【図４】家具用プレカット木材についての説明図である。
【図５】統一感のある室内空間を示す室内イメージ図
【図６】本考案の他の実施の形態に係る椅子（家具）の斜視図である。
【図７】同上椅子の分解斜視図である。
【図８】（ａ）ないし（ｄ）は本考案の更に他の実施の形態に係る家具の斜視図である。
【考案を実施するための形態】
【００１４】
本考案の一実施の形態について図１ないし図５を参照して説明する。
【００１５】
図１ないし図３において、１は組み立て式の家具（組立家具）であるテーブル用脚体で、このテーブル用脚体１上に天板２を載置することでテーブル（机）３になる。
【００１６】
テーブル用脚体１は、プレカット工場において木造住宅用プレカット木材を得るためのプレカット機械（切断加工機等）を用いて木造住宅用プレカット木材（例えば柱や梁等）の材料と同じ材料で形成（製作）された複数の家具用プレカット木材４，５，６を備え、これら複数の家具用プレカット木材４，５，６が木造住宅の住宅建築現場において大工によって組み合わされて構成されたものである。つまり、このテーブル用脚体１は、複数（例えば８つ）の家具用プレカット木材４，５，６のみによって構成されている。
【００１７】
具体的には、テーブル用脚体１は、複数の家具用プレカット木材として、例えば床面に立つ鉛直状の前後左右４本の脚部材４と、互いに離間対向する前後の脚部材４同士を連結する水平状の２本の脚連結部材５と、互いに離間対向する左右の脚連結部材５同士を連結する水平状の２本の連結部材６とを備えている。
【００１８】
各部材（木造住宅用プレカット木材と同じ材質の家具用プレカット木材）４，５，６は、木製（例えばヒノキやスギ等）の無垢材からなるもので、断面矩形状、すなわち例えば断面正方形状をなす比較的長さが短い角柱状部材である。そして、これら複数の部材４，５，６は、釘やねじ等の固定具を用いることなく強固に互いに嵌合固定されている。
【００１９】
ここで、脚部材４は、嵌合凹部（「仕口」といわれる接合部分、以下でも同様）11を上部に有している。この嵌合凹部11は、脚部材４の互いに直交する２面にわたって形成されている。脚部材４の下面が床面に接地される接地面12であり、脚部材４の上面が天板２を支持する支持面13である。脚連結部材５は、嵌合凸部15を長手方向両端部に有している。そして、脚連結部材５の嵌合凸部15と脚部材４の嵌合凹部11とが固定具を用いることなく互いに嵌合固定されている。
【００２０】
また、脚連結部材５は、嵌合凹部16を長手方向中央部に有している。この嵌合凹部16は、脚連結部材５の互いに直交する２面にわたって形成されている。連結部材６は、嵌合凸部17を長手方向一端部（外端部）に有している。そして、連結部材６の嵌合凸部17と脚連結部材５の嵌合凹部16とが固定具を用いることなく互いに嵌合固定されている。
【００２１】
さらに、連結部材６は、凹凸状の嵌合部18を長手方向他端部（内端部）に有している。そして、一方側である左側の連結部材６の嵌合部18と他方側である右側の連結部材６の嵌合部18とが固定具を用いることなく互いに嵌合固定されている。なお、この図示した例では、嵌合部18同士の嵌合により一体化された２本の連結部材６によって左右の脚連結部材５が連結されているが、例えば当該２本の連結部材６と同じ長さの１本の連結部材を用いて連結するようにしてもよい。
【００２２】
また、天板２は、例えば矩形板状をなす木製の板状部材（木造住宅用プレカット木材の材料と同じ材料で形成されたものでもよく、異なる材料で形成されたものでもよい）からなるもので、例えば木造住宅及び家具を注文した顧客が選んだ天板（工務店が選んだ天板でもよい）であり、テーブル用脚体１の４本の脚部材４の上面の支持面13に載置されて当該支持面13によって水平状に支持されている。
【００２３】
なお、図示した例の如く、天板２をテーブル用脚体１上に着脱可能に載置した構成には限定されず、例えば天板２が所定位置から位置ズレしないように固定手段を用いて天板２をテーブル用脚体１に対して固定してもよい。また、天板２は、木造住宅用プレカット木材と同じ材質の木製のものが好ましいが、これには限らず、例えばガラス製、樹脂製、陶器製、金属製等でもよい。
【００２４】
次いで、図４は、上述した家具用プレカット木材についての説明図である。
【００２５】
この図４に示すように、木造住宅及び木造家具の顧客からの注文に基づいて（顧客は木造住宅を注文する際に同時に家具も注文する）、プレカット工場では、当該工場に設置されたプレカット機械を使用して、それぞれ同様に注文に応じた木造住宅用プレカット木材及び家具用プレカット木材を同じ材料の木材から形成（製作）する。
【００２６】
つまり、プレカット工場において、木造住宅用プレカット木材のプレカットと全く同じ機械と加工方法（仕口等の加工方法）を用いて、木造住宅用プレカット木材と同じ材料で家具用プレカット木材を形成する。
【００２７】
その後、木造住宅用プレカット木材及び家具用プレカット木材は、ばらされたパーツ状態のまま、木造住宅の住宅建築現場まで、同じ運搬車両（トラック等）によって建て方時にまとめて運搬（搬入）される。
【００２８】
そして、木造住宅の住宅建築現場において、大工は、建て方時に複数の木造住宅用プレカット木材を組み合わせて木造住宅の構造体を形成するとともに、複数の家具用プレカット木材を組み合わせて比較的大物の家具を形成する。
【００２９】
すなわち例えば、大工は、建て方時に複数の家具用プレカット木材４，５，６を用いて、図１に示す木造家具であるテーブル用脚体１を組み立てる。そして、建て方後、大工は、その組み立てたテーブル用脚体１上にコンパネ等の板材からなる仮天板（図示せず）を載置して作業台として利用する。
【００３０】
その後、木造住宅が完成した際（工事完了時）に、大工は、仮天板（コンパネ等）を外して顧客又は工務店が選んだ所望の天板２に付け替えて、図３に示すテーブル３として顧客へ提供する。
【００３１】
したがって、上述したテーブル用脚体（家具）１によれば、木造住宅用プレカット木材の材料と同じ材料からなる複数本の柱状の家具用プレカット木材４，５，６を組み合わせて構成したものであるから、複数枚のベニヤ板からなる薄板を組み合わせて構成した家具等とは異なり、所望する十分な強度を適切に確保でき、耐久性の向上を効果的に図ることができる。
【００３２】
また、例えば図５に示すように、木造住宅の室内空間に露出した木造住宅用プレカット木材の柱ａや梁ｂと、木造家具を構成する家具用プレカット木材（例えばテーブル用脚体１の構成部材４，５，６、椅子21の構成部材24，25，26）とが、同じ材料からなるものであるから、木造住宅と家具との調和が図られ、全体として統一感のある室内空間を得ることができ、よって、顧客は、統一感があって落ち着きのあるくつろぎの空間で快適に生活できる。
【００３３】
さらに、木造住宅用プレカット木材と家具用プレカット木材とを木造住宅の住宅建築現場まで同じ運搬車両でまとめて運搬することにより、運搬費用の低減を図ることもできる。
【００３４】
なお、上記一実施の形態では、家具であるテーブル用脚体１について説明したが、例えば図６及び図７に示す椅子（家具）21でも、上述したテーブル用脚体１と同様の作用効果を奏することができる。
【００３５】
椅子（組立椅子）21は、テーブル用脚体１と同様、プレカット工場において木造住宅用プレカット木材（例えば柱や梁等）の材料と同じ材料で形成された複数の家具用プレカット木材24，25，26を備え、これら複数の家具用プレカット木材24，25，26が木造住宅の住宅建築現場において大工によって組み合わされて構成されたものである。つまり、この椅子21は、複数（８つ）の家具用プレカット木材24，25，26のみによって構成されている。
【００３６】
具体的には、椅子21は、複数の家具用プレカット木材として、例えば床面に立つ傾斜状の前後左右４本の脚部材24と、互いに離間対向する前後の脚部材24の下部同士を連結する２本の下部連結部材25と、互いに離間対向する左右の脚部材24の上部同士を連結する２本の上部連結部材26とを有している。
【００３７】
各部材（木造住宅用プレカット木材と同じ材質の家具用プレカット木材）24，25，26は、木製（例えばヒノキやスギ等）の無垢材からなるもので、断面矩形状、すなわち例えば断面正方形状をなす角柱状部材である。そして、これら複数の部材24，25，26は、釘やねじ等の固定具を用いることなく強固に互いに嵌合固定されている。
【００３８】
脚部材24は、嵌合凹部31を下部に有しかつ嵌合凹部32を上部に有している。脚部材24の下面が床面に接地される接地面33である。下部連結部材25は、嵌合凸部34を前後方向の両端部に有している。そして、下部連結部材25の嵌合凸部34と脚部材24の嵌合凹部31とが固定具を用いることなく互いに嵌合固定されている。
【００３９】
また、上部連結部材26は、嵌合凸部35を左右方向の両端部に有している。そして、上部連結部材26の嵌合凸部35と脚部材24の嵌合凹部32とが固定具を用いることなく互いに嵌合固定されている。さらに、上部連結部材26の上面及び脚部材24の上面が人が座る座面36となっており、この座面36の前後方向中央には隙間37が存在しており、座面36は当該隙間37に向かって下り傾斜状に形成されている（図６参照）。
【００４０】
なお、この図６に図示した椅子21は、複数人が座れる長手状のものであるが、例えば図８（ａ）に示すような一人用のものでもよい。また、テーブル用脚体21についても、例えば図８（ｂ）（ｃ）（ｄ）に示すような構成のものでもよい。
【００４１】
さらに、木造住宅の家の中に設置して利用する家具の例として、テーブル用脚体や椅子を挙げたが、これには限定されず、例えばテーブル以外に用いる脚体や脚以外の部分でもよく、また、例えば棚、ベット、デスク、テーブル、机、台、オフィスデスク、ミーティングテーブル等、任意である。
【００４２】
また、家具は、木造住宅用プレカット木材の材料と同じ材料で形成された複数の家具用プレカット木材のみによって構成されたものが好ましいが、他の材料からなる部材を組み合わせたものでもよい。
【符号の説明】
【００４３】
１    家具であるテーブル用脚体
４    家具用プレカット木材である脚部材
５    家具用プレカット木材である脚連結部材
６    家具用プレカット木材である連結部材
21    家具である椅子
24    家具用プレカット木材である脚部材
25    家具用プレカット木材である下部連結部材
26    家具用プレカット木材である上部連結部材
【図１】
0003228267.tif 000003
【図２】
0003228267.tif 000004
【図３】
0003228267.tif 000005
【図４】
0003228267.tif 000006
【図５】
0003228267.tif 000007
【図６】
0003228267.tif 000008
【図７】
0003228267.tif 000009
【図８】
0003228267.tif 000010
【手続補正書】
【提出日】令和2年7月27日(2020.7.27)
【手続補正１】
【補正対象書類名】明細書
【補正対象項目名】０００６
【補正方法】変更
【補正の内容】
【０００６】
請求項１記載の家具は、木造住宅用プレカット木材の材料と同じ材料で形成された複数の家具用プレカット木材を備え、前記家具用プレカット木材が互いに組み合わされて構成されたものである。
【手続補正２】
【補正対象書類名】明細書
【補正対象項目名】０００７
【補正方法】変更
【補正の内容】
【０００７】
請求項２記載の家具は、プレカット工場において木造住宅用プレカット木材の材料と同じ材料で形成された複数の家具用プレカット木材を備え、住宅建築現場において前記家具用プレカット木材が互いに組み合わされて構成されたものである。
【手続補正３】
【補正対象書類名】明細書
【補正対象項目名】０００８
【補正方法】変更
【補正の内容】
【０００８】
請求項３記載の家具は、プレカット工場において木造住宅用プレカット木材を得るためのプレカット機械を用いて前記木造住宅用プレカット木材の材料と同じ材料で形成された複数の家具用プレカット木材を備え、前記木造住宅用プレカット木材を用いて建築される木造住宅の住宅建築現場において前記木造住宅用プレカット木材とともにまとめて前記住宅建築現場まで運搬された前記家具用プレカット木材が大工によって互いに組み合わされて構成されたものである。
【手続補正４】
【補正対象書類名】実用新案登録請求の範囲
【補正対象項目名】全文
【補正方法】変更
【補正の内容】
【実用新案登録請求の範囲】
【請求項１】
木造住宅用プレカット木材の材料と同じ材料で形成された複数の家具用プレカット木材を備え、
前記家具用プレカット木材が互いに組み合わされて構成された
ことを特徴とする家具。
【請求項２】
プレカット工場において木造住宅用プレカット木材の材料と同じ材料で形成された複数の家具用プレカット木材を備え、
住宅建築現場において前記家具用プレカット木材が互いに組み合わされて構成された
ことを特徴とする家具。
【請求項３】
プレカット工場において木造住宅用プレカット木材を得るためのプレカット機械を用いて前記木造住宅用プレカット木材の材料と同じ材料で形成された複数の家具用プレカット木材を備え、
前記木造住宅用プレカット木材を用いて建築される木造住宅の住宅建築現場において前記木造住宅用プレカット木材とともにまとめて前記住宅建築現場まで運搬された前記家具用プレカット木材が大工によって互いに組み合わされて構成された
ことを特徴とする家具。
【請求項４】
複数の家具用プレカット木材は、固定具を用いることなく互いに嵌合固定されている
ことを特徴とする請求項１ないし３のいずれか一記載の家具。
【請求項５】
複数の家具用プレカット木材は、いずれも無垢材である
ことを特徴とする請求項１ないし４のいずれか一記載の家具。
【請求項６】
複数の家具用プレカット木材は、いずれも断面矩形状をなす角柱状部材である
ことを特徴とする請求項１ないし５のいずれか一記載の家具。